(57)【特許請求の範囲】
【請求項１】
走行機体と、該走行機体に連結される機枠と、該機枠に設けられ、旧畦上に土を盛り上げる盛土ローターをもつ盛土機構と、該盛土機構に設けられ、該盛土ローターに掛かる盛土抵抗を緩衝可能な緩衝機構と、該盛土機構の進行方向後方位置に設けられ、畦面を整畦可能な整畦体をもつ整畦機構とを備えてなり、上記緩衝機構として、上記盛土ローターを、駆動回転するローター軸部、該ローター軸部に回動可能に嵌装された盛土刃部をもつローター胴及び該ローター軸部に回り止め状に嵌装されたフランジ板により形成し、該ローター胴に該ローター胴の回転中心を中心とする円弧状の長穴部を形成し、該長穴部に該盛土刃部に掛かる盛土抵抗を緩衝可能なボルト挿通穴をもつ弾性材を嵌着し、該フランジ板に該ボルト挿通穴に挿通して連結ボルトを固定してなることを特徴とする整畦機。
【請求項２】
上記盛土機構の進行方向前方位置に旧畦を削土可能な削土機構を備えてなることを特徴とする請求項１記載の整畦機。
【発明の詳細な説明】
【０００１】
【発明の属する技術分野】
本発明は例えば畦の造成作業や修復作業等に用いられる整畦機に関するものである。
【０００２】
【従来の技術】
従来、この種の整畦機として、例えば、特許第２５６４２３０号公報に示す如く、走行機体に連結機構により機枠を上下動自在に連結し、機枠に旧畦上に土を盛り上げる盛土ローターをもつ盛土機構を設け、該盛土機構の進行方向後方位置に畦面を回転整畦可能な回転整畦体からなる整畦機構を設けて構成した構造のものが知られている。
【０００３】
【発明が解決しようとする課題】
しかしながら上記従来構造の場合、上記盛土ローターにより旧畦上に泥土を盛り上げる際、泥土内の土砂や石が盛上刃に衝突し、その衝突力が直接的に盛土刃に掛かり、盛土刃や伝導系統を損傷することがあるという不都合を有している。
【０００４】
【課題を解決するための手段】
本発明はこのような不都合を解決することを目的とするもので、本発明のうちで、請求項１記載の発明は、走行機体と、該走行機体に連結される機枠と、該機枠に設けられ、旧畦上に土を盛り上げる盛土ローターをもつ盛土機構と、該盛土機構に設けられ、該盛土ローターに掛かる盛土抵抗を緩衝可能な緩衝機構と、該盛土機構の進行方向後方位置に設けられ、畦面を整畦可能な整畦体をもつ整畦機構とを備えてなり、上記緩衝機構として、上記盛土ローターを、駆動回転するローター軸部、該ローター軸部に回動可能に嵌装された盛土刃部をもつローター胴及び該ローター軸部に回り止め状に嵌装されたフランジ板により形成し、該ローター胴に該ローター胴の回転中心を中心とする円弧状の長穴部を形成し、該長穴部に該盛土刃部に掛かる盛土抵抗を緩衝可能なボルト挿通穴をもつ弾性材を嵌着し、該フランジ板に該ボルト挿通穴に挿通して連結ボルトを固定してなることを特徴とする整畦機にある。
【０００５】
又、請求項２記載の発明は、上記盛土機構の進行方向前方位置に旧畦を削土可能な削土機構を備えてなることを特徴とするものである。
【０００６】
【発明の実施の形態】
図１乃至図１０は本発明の実施の形態例を示し、１は走行機体であって、この場合トラクタが用いられ、走行機体１の後部に三点リンク式の連結機構２により機枠３を上下動可能に連結して構成している。
【０００７】
４は整畦機構であって、この場合、上記機枠３に支持ブラケット５を突設し、支持ブラケット５に軸受筒部６を設け、軸受筒部６の後部に軸受部７を設け、軸受部７に駆動軸８を軸受し、一方、機枠３に走行機体１に設けられた動力取出軸９により自在継手１０を介して回転する主軸１１を軸受すると共に主軸１１により伝導機構１２を介して回転する伝達軸１３を横設し、上記駆動軸８の一方端部と伝達軸１３との間に自在継手１４を架設し、駆動軸８の他方端部に畦Ｗ面を回転整畦可能な回転整畦体１５である整畦体１６を配設して構成している。
【０００８】
この場合、上記整畦体１６は、畦Ｗの上面Ｗ1を整畦可能な上面整畦部１５ａ及び畦Ｗの一方側面Ｗ2を整畦可能な側面整畦部１５ｂからなり、この上面整畦部１５ａ及び側面整畦部１５ｂは、互いに結合されて鼓状をなすローター枠体１６ａの外周面部に間隔置いて圧締面部Ｋ・Ｄを形成すると共に隣り合う圧締面部Ｋ・Ｄの間を通穴Ｆ・Ｃとして形成し、上面整畦部１５ａ及び側面整畦部１５ｂの回転方向前方位置の圧締面部Ｋ・Ｄ側から隣り合う後方位置の圧締面部Ｋ・Ｄの外面に至る長さの圧締板体Ｇ・Ｅを配設し、この圧締板体Ｇ・Ｅは可撓性を有するナイロン樹脂や塩化ビニール樹脂等の合成樹脂やステンレスやバネ鋼等の等の金属からなる外的負荷により弾性的に撓み得る材質の可撓性板材により形成され、ローター枠体１６ａの中心軸筒１６ｂを駆動軸８に挿通固定し、しかして、主軸１１の回転により回転整畦体１５を図中矢印方向に回転させ、回転整畦体１５の上面整畦部１５ａ及び側面整畦部１５ｂの外周面の圧締板体Ｇ・Ｅの回転接触により畦Ｗの上面Ｗ1及び一方側面Ｗ2を締圧整畦するように構成している。
【０００９】
１７は盛土機構であって、この場合、上記軸受筒部６に中間軸１８を軸受し、中間軸１８の一方端部と駆動軸８との間に歯車機構８ａを設け、中間軸１８の他方端部に盛土ローター１９を設け、中間軸１８の回転により盛土ローター１９を図中矢印方向に回転させるように構成している。
【００１０】
２０は緩衝機構であって、この場合、盛土ローター１９はローター軸部１９ａと盛土刃部１９ｂとからなり、このローター軸部１９ａと盛土刃部１９ｂとの間に盛土刃部１９に掛かる盛土抵抗を緩衝可能な緩衝機構２０を設けている。
【００１１】
この場合、上記中間軸１８の他方端部を六角軸状のローター軸部１９ａに形成し、盛土刃部１９ｂとして、軸筒２１ａにフランジ板２１ｂを設け、軸筒２１ａの内周面をローター軸部１９ａに回り止め状に嵌挿可能な六角穴状に形成し、軸筒２１ａの外周面にローター胴２１ｃを嵌装し、ローター胴２１ｃになた状のローター刃２１ｄを複数個突設し、ローター胴２１ｃに三個の長穴部２１ｅを三個形成し、長穴部２１ｅにゴムや弾性を有する合成樹脂等の弾性材２１ｆを嵌着し、弾性材２１ｆにボルト挿通穴２１ｇを形成し、フランジ板２１ｂ及びボルト挿通穴２１ｇに連結ボルト２１ｈを挿通すると共に軸筒２１ａに遊嵌挿したフランジ板２１ｊに挿通し、連結ボルト２１ｈにナット２１ｋを螺着し、フランジ板２１ｂとフランジ板２１ｊとによりローター胴２１ｃを回動可能に挟装して構成している。
【００１２】
しかして、上記ローター刃２１ｄに盛土抵抗が掛かると、ローター胴２１ｃは回転方向と逆方向に回転し、連結ボルト２１ｈにより弾性材２１ｆは弾性圧縮して撓み、この撓みによりローター胴２１ｃは軸筒２１ａに対してわずかに逆回転し、しかして、この弾性材２１ｆにより盛土刃部１９ｂに掛かる盛土抵抗は緩衝されることになる。
【００１３】
２２は削土機構であって、上記盛土機構１７の進行方向前方位置に設けられ、
この場合、上記軸受筒部６の前端部にチェーンケース２３を突設し、チェーンケース２３の先端部に支持軸２４を回転自在に設け、支持軸２４に削土ローター２５を取付け、上記中間軸１８と支持軸２４との間にチェーン機構２６及び歯車機構２７を介装し、削土ローター２５の回転により盛土ローター１９の前方位置の旧畦Ｗを予め削土するように構成している。
【００１４】
この実施の形態例は上記構成であるから、走行機体１を旧畦に沿って走行し、動力取出軸９を回転すると、一方では盛土機構１７の盛土ローター１９が畦際や旧畦Ｗの泥土を旧畦上に連続的に跳ね上げて盛り上げ、他方では走行機体１の動力取出軸９を駆動源として整畦機構４が駆動され、整畦体１６は畦面に回転接触して畦Ｗ面を回転整畦により締め付けることができ、走行機体１の走行速度に対して整畦体１６としての回転整畦体１５の回転速度を高めることにより回転整畦体１５は畦Ｗ面に回転滑り接触し、この回転すべり接触により畦Ｗ面を円滑かつ強固に締圧整畦することができ、この際、上記盛土機構１７に盛土ローター１９に掛かる盛土抵抗を緩衝可能な緩衝機構２０を設けているから、泥土内の土砂や石が盛上ローター１９に衝突し、この衝突力による盛土抵抗を緩衝することができ、盛土ローター１９や伝導系統の損傷を抑制することができ、それだけ、良好に整畦作業を行うことができる。
【００１５】
又、この際、上記盛土ローター１９はローター軸部１９ａと盛土刃部１９ｂとからなり、ローター軸部１９ａと盛土刃部１９ｂとの間に盛土刃部１９ｂに掛かる盛土抵抗を緩衝可能な弾性材２１ｆをもつ上記緩衝機構２０を設け、上記緩衝機構２０として、上記盛土ローター１９を、駆動回転するローター軸部１９ａ、ローター軸部１９ａに回動可能に嵌装された盛土刃部１９ｂをもつローター胴２１ｃ及びローター軸部２１ｃに回り止め状に嵌装されたフランジ板２１ｂ・２１ｊにより形成し、ローター胴２１ｃにローター胴２１ｃの回転中心を中心とする円弧状の長穴部２１ｅを形成し、長穴部２１ｅに盛土刃部１９ｂに掛かる盛土抵抗を緩衝可能なボルト挿通穴２１ｇをもつ弾性材２１ｆを嵌着し、フランジ板２１ｂ・２１ｊにボルト挿通穴２１ｇに挿通して連結ボルト２１ｈを固定しているから、ローター軸部１９ａに対する盛土刃部１９ｂの逆回転時に弾性材２１ｆは緩衝作用をなして衝突力による盛土抵抗を緩衝することができ、盛土ローター１９や伝導系統の損傷を抑制することができ、又、この場合、上記盛土機構１７の進行方向前方位置に旧畦Ｗを削土可能な削土機構２２を備えてなるから、削土機構２２により旧畦面を予め削土でき、この削土された畦面上に盛土機構１７の盛土ローター１９により盛土することになるから、旧畦土と盛土との結着性を高めることができ、それだけ強固な畦を得ることができる。
【００１６】
又、この場合、整畦体１６として、回転整畦体１５が用いられ、回転整畦体１５は上面整畦部１５ａ及び側面整畦部１５ｂからなり、この回転整畦体１５に圧締面部Ｋ・Ｄを通穴Ｆ・Ｃを存して間隔を置いて複数個形成すると共に側面整畦部１５ｂ及び上面整畦部１５ａに回転方向前方位置の圧締面部Ｋ・Ｄ側から隣り合う後方位置の圧締面部Ｋ・Ｄに至る長さの圧締板体Ｇ・Ｅを配設して構成しているから、回転整畦体１５の図中矢印方向としての走行機体１の前進を助長する方向の回転に伴い圧締板体Ｇ・Ｅは徐々に盛土を締圧すると共に圧締面部Ｋ・Ｄにより圧締板体Ｇ・Ｅを介して強く締圧され、この複数個の圧締面部Ｋ・Ｄの存在により断続的に締圧され、複数個の圧締面部Ｋ・Ｄの存在により、回転整畦体１５の全外周面で締圧する構造に比べて締圧面積が小さくなることにより締圧力を大きくすることができ、それだけ強固に畦を締め付けることができ、かつ、隣り合う圧締面部Ｋ・Ｋ、Ｄ・Ｄの間に通穴Ｆ・Ｃを形成しているので、通穴Ｆ・Ｃにより一層断続的に畦面を締圧することになり、それだけ強固に締圧することができ、又、この場合、上記圧締板体Ｇ・Ｅは可撓性を有する金属や合成樹脂等により製作しているので、圧締板体Ｇ・Ｅは撓み動作しつつ盛土を徐々に締圧することができ、回転整畦体１５への土の付着現象を抑制することができ、良好な整畦作業を行うことができる。
【００１７】
尚、本発明は上記実施の形態例に限られるものではなく、整畦機構４、整畦体１６、盛土機構１７、盛土ローター１９、緩衝機構２０、削土機構２２の構造や形状等は適宜変更して設計されるものである。
【００１８】
【発明の効果】
本発明は上述の如く、請求項１記載の発明にあっては、走行機体を旧畦に沿って走行すると、一方では盛土機構の盛土ローターが畦際や旧畦の泥土を旧畦上に連続的に跳ね上げて盛り上げ、他方では整畦機構が駆動され、整畦体は畦面を整畦することになり、この際、上記盛土機構に盛土ローターに掛かる盛土抵抗を緩衝可能な緩衝機構を設け、上記緩衝機構として、上記盛土ローターを、駆動回転するローター軸部、該ローター軸部に回動可能に嵌装された盛土刃部をもつローター胴及び該ローター軸部に回り止め状に嵌装されたフランジ板により形成し、該ローター胴に該ローター胴の回転中心を中心とする円弧状の長穴部を形成し、該長穴部に該盛土刃部に掛かる盛土抵抗を緩衝可能なボルト挿通穴をもつ弾性材を嵌着し、該フランジ板に該ボルト挿通穴に挿通して連結ボルトを固定しているから、泥土内の土砂や石が盛上ローターに衝突し、この衝突力による盛土抵抗を緩衝することができ、盛土ローターや伝導系統の損傷を抑制することができ、それだけ、良好に整畦作業を行うことができ、衝突力を受けてローター軸部に対する盛土刃部の逆回転時に弾性材は緩衝作用をなして衝突力による盛土抵抗を緩衝することができ、盛土ローターや伝導系統の損傷を抑制することができる。
【００１９】
又、請求項２記載の発明にあっては、上記盛土機構の進行方向前方位置に旧畦を削土可能な削土機構を備えてなるから、削土機構により旧畦面を予め削土でき、この削土された畦面上に盛土機構の盛土ローターにより盛土することになるから、旧畦土と盛土との結着性を高めることができ、それだけ強固な畦を得ることができる。
【００２０】
以上の如く、所期の目的を充分達成することができる。
【図面の簡単な説明】
【図１】  本発明の実施の形態例の全体側面図である。
【図２】  本発明の実施の形態例の拡大側面図である。
【図３】  本発明の実施の形態例の拡大平面図である。
【図４】  本発明の実施の形態例の全体後面図である。
【図５】  本発明の実施の形態例の全体前断面図である。
【図６】  本発明の実施の形態例の部分拡大断面図である。
【図７】  本発明の実施の形態例の部分拡大断面図である。
【図８】  本発明の実施の形態例の部分断面図である。
【図９】  本発明の実施の形態例の部分分解斜視図である。
【図１０】  本発明の実施の形態例の部分斜視図である。
【符号の説明】
Ｗ  畦
Ｗ1  上面
Ｗ2  側面
１  走行機体
２  連結機構
３  機枠
４  整畦機構
１６  整畦体
１７  盛土機構
１９  盛土ローター
１９ａ  ローター軸部
１９ｂ  盛土刃部
２０  緩衝機構
２１ｃ ローター胴
２１ｂ フランジ板
２１ｅ 長穴部
２１ｆ  弾性材
２１ｇ ボルト挿通穴
２１ｊ フランジ板
２２  削土機構
【図１】
0003991265.tif 000002
【図２】
0003991265.tif 000003
【図３】
0003991265.tif 000004
【図４】
0003991265.tif 000005
【図５】
0003991265.tif 000006
【図６】
0003991265.tif 000007
【図７】
0003991265.tif 000008
【図８】
0003991265.tif 000009
【図９】
0003991265.tif 000010
【図１０】
0003991265.tif 000011